(57)【特許請求の範囲】
【請求項１】
波長可変光源からコヒーレント光を被検物である偏波スクランブラに所定の波長で出射して、前記偏波スクランブラの偏光度を解析し、偏光度が最小となる変調信号の電圧を探索し、その電圧を駆動電圧として設定する偏波スクランブラの偏光度測定方法において、
前記偏波スクランブラの温度を所定の温度となるように温度管理する温度制御手段により温度の設定を行い（ステップ３２）、前記偏波スクランブラの温度が前記所定の温度となるように温度維持手段を前記温度制御手段により制御し、偏波スクランブラの温度が安定していることを確認した後（ステップ３３）、前記波長可変光源から前記所定の波長に対し略一定であるコヒーレント光を出射し（ステップ３４）、設定すべき変調信号電圧の近傍における複数の電圧を、偏波スクランブラ駆動手段により前記偏波スクランブラに印可し、光偏波の偏光度が最小となる変調信号電圧を探索し（ステップ３５）、探索した偏光度が最小となる変調信号電圧を駆動電圧として偏光度の波長特性を測定する（ステップ３６）
ことを特徴とする偏波スクランブラの偏光度測定方法。
【請求項２】
前記駆動電圧による偏波スクランブラの偏光度とその波長特性を測定した後、前記所定の温度により設定されて維持された前記偏波スクランブラの温度と異なる温度を第２の設定温度として前記温度制御手段により設定し（ステップ３７）、前記偏波スクランブラの温度が前記第２の設定温度となるように温度維持手段を前記温度制御手段により制御し、前記偏波スクランブラの温度が安定していることを確認してから（ステップ３８）、前記偏波スクランブラ駆動手段により前記設定すべき変調信号電圧の近傍における複数の電圧につき、前記偏波スクランブラの駆動電圧に対する光偏波の偏光度を測定し、その結果より偏光度が最小となる変調信号電圧を求め（ステップ３９）、求められた偏光度が最小となる変調信号電圧と前記測定開始温度で設定した駆動電圧とが、実質的に同電圧である場合には偏光度測定手段により前記駆動電圧での波長特性を測定し、実質的に同電圧でない場合には第２の設定温度で前記偏光度が最小となる変調信号電圧を駆動電圧として偏光度の波長特性を測定し（ステップ４０，４１）、次いで、偏波スクランブラの温度を前記第２の設定温度と異なる温度による偏波スクランブラの偏光度の測定を継続しない場合には測定を終了し、測定を継続する場合には前記第２の設定温度と異なる温度を前記第２の設定温度として置き換え、第２の設定温度の設定時（ステップ３７）まで戻り（ステップ４２）、再測定する
ことを特徴とする請求項１記載の偏波スクランブラの偏光度測定方法。
【発明の詳細な説明】
【０００１】
【発明の属する技術分野】
本発明は偏波スクランブラの偏光度の測定において信頼性を向上させた偏波スクランブラの偏光度測定方法に関する。
【０００２】
【従来の技術】
従来、光通信の送信系における導波路において光偏波を高精度に変調する偏波スクランブラの特性を評価するには、使用状態を模した試験装置を形成し、その装置を用いて偏波スクランブラによって変調した光偏波の偏光度を測定し、測定結果から特性を評価することが行われている。
【０００３】
通常、入射光に対するＤＯＰ（偏光度）特性（λ−DOP 曲線）は、図１２に示すように、温度の変化によって、ある温度軸上で得られたλ−DOP 曲線Ｉが、他の温度軸上では、その特性曲線をそのまま平行移動した形で出現し、入射光波長がずれた位置にλ−DOP 曲線II，・・・，IVとして現れる。
【０００４】
このため、ある特定の温度で限られた波長λの範囲を精密に測定した時には、図１３に示すλ−DOP 曲線が得られるのに対して、特定の波長について温度が変化した状態では図１４に示すようなＴ−DOP 曲線になる。
【０００５】
このような温度変化のある場合のデータを、ある限られた波長λの範囲について重ね合わせ、例えば、温度が１℃異なるデータを重ね合わせて検討してみると、図１５に示すように、温度に対する変動が単調な変動としては現れない。
また、光源の波長および使用温度が変動する時には、そのＤＯＰ値の変動値が非常に大きくなるため誤差が大きくなる。
【０００６】
例えば、偏波スクランブラのＤＯＰ特性は、入射光波長および環境温度の変動による影響で、その依存性はＺカット板の場合で５〜７％程度、Ｘカット板の場合で３〜４％程度まで変動する（下津，他  ９７年信学会秋季大会Ｃ−３−３６）。
【０００７】
しかしながら、現在、このようなＤＯＰ値の変動原因をまだ特定することができないため、ＤＯＰ特性を測定するときに、測定データを補正しようとしても、使用者が使用する波長の範囲に対するデータと、使用する温度に対するデータを全部採らなければ、予め測定して作成したモデルデータを基にした基準値とその変動値の関係から温度に対する補正をするような、いわゆる較正をすることはできない。
【０００８】
〔問題点〕
このような従来の偏光度測定装置による偏光度の評価では、光源の波長や環境温度等の測定条件による影響が大きいため、安定で精度の良い測定結果が得られず、また再現性に乏しいという問題点があった。
【０００９】
したがって、偏波スクランブラのＤＯＰ特性の測定誤差を最小にすることができる信頼性の高い測定方法の出現が望まれていた。
【００１０】
【発明が解決しようとする課題】
本発明は、従来の技術における問題点に鑑みてなされたものであり、これを解決するため具体的に設定された課題は、光源や環境条件を管理でき、偏波スクランブラの入射光波長に対するＤＯＰ特性の測定における温度条件を一定に維持して、精度良くＤＯＰ特性を測定できる偏波スクランブラの偏光度測定方法を提供することにある。
【００１１】
【課題を解決するための手段】
本発明における請求項１に係る偏波スクランブラの偏光度測定方法は、波長可変光源からコヒーレント光を被検物である偏波スクランブラに所定の波長で出射して、前記偏波スクランブラの偏光度を解析し、偏光度が最小となる変調信号の電圧を探索し、その電圧を駆動電圧として設定する偏波スクランブラの偏光度測定方法において、  前記偏波スクランブラの温度を所定の温度となるように温度管理する温度制御手段により温度の設定を行い（ステップ３２）、前記偏波スクランブラの温度が前記所定の温度となるように温度維持手段を前記温度制御手段により制御し、偏波スクランブラの温度が安定していることを確認した後（ステップ３３）、前記波長可変光源から前記所定の波長に対し略一定であるコヒーレント光を出射し（ステップ３４）、設定すべき変調信号電圧の近傍における複数の電圧を、偏波スクランブラ駆動手段により前記偏波スクランブラに印可し、光偏波の偏光度が最小となる変調信号電圧を探索し（ステップ３５）、探索した偏光度が最小となる変調信号電圧を駆動電圧として偏光度の波長特性を測定する（ステップ３６）ことを特徴とするものである。
【００１２】
また、請求項２に係る偏波スクランブラの偏光度測定方法は、前記駆動電圧による偏波スクランブラの偏光度とその波長特性を測定した後、前記所定の温度により設定されて維持された前記偏波スクランブラの温度と異なる温度を第２の設定温度として前記温度制御手段により設定し（ステップ３７）、前記偏波スクランブラの温度が前記第２の設定温度となるように温度維持手段を前記温度制御手段により制御し、前記偏波スクランブラの温度が安定していることを確認してから（ステップ３８）、前記偏波スクランブラ駆動手段により前記設定すべき変調信号電圧の近傍における複数の電圧につき、前記偏波スクランブラの駆動電圧に対する光偏波の偏光度を測定し、その結果より偏光度が最小となる変調信号電圧を求め（ステップ３９）、求められた偏光度が最小となる変調信号電圧と前記測定開始温度で設定した駆動電圧とが、実質的に同電圧である場合には偏光度測定手段により前記駆動電圧での波長特性を測定し、実質的に同電圧でない場合には第２の設定温度で前記偏光度が最小となる変調信号電圧を駆動電圧として偏光度の波長特性を測定し（ステップ４０，４１）、次いで、偏波スクランブラの温度を前記第２の設定温度と異なる温度による偏波スクランブラの偏光度の測定を継続しない場合には測定を終了し、測定を継続する場合には前記第２の設定温度と異なる温度を前記第２の設定温度として置き換え、第２の設定温度の設定時（ステップ３７）まで戻り（ステップ４２）、再測定することを特徴とするものである。
【００１４】
【発明の実施の形態】
以下、本発明の実施の形態を具体的に説明する。
ただし、この実施の形態は、発明の趣旨をより良く理解させるため具体的に説明するものであり、特に指定のない限り、発明内容を限定するものではない。
【００１５】
〔測定方法〕
この偏光度測定方法は、光源から安定した波長でコヒーレント光を出射し、そのコヒーレント光を一定温度に温度管理された偏波スクランブラによって変調し、変調された光偏波を偏光度測定装置によって受光して、一定の温度条件で変調された光偏波の偏光度を解析するものである。
【００１６】
この場合において、まず設定温度として偏波スクランブラの使用温度条件を選択し、被検物である偏波スクランブラの温度が設定温度に一定に維持されていることを確認した後、ＤＯＰ値が最小となる変調信号電圧を探索し、捜し当てた電圧を駆動電圧として設定することが望ましく、また、偏波スクランブラの使用温度条件に幅があるため設定温度が２条件以上となるときは、その温度条件に従って設定温度を設定して偏波スクランブラの光偏波の偏光度を解析し、一方の設定温度と他方の設定温度とにおける駆動電圧の変動の有無をチェックして変動がある場合には調節し直すことが望ましい。
【００１７】
偏波スクランブラの温度管理には種々あるが、この実施の形態では、温度維持手段に設けられた発熱体の温度を一定になるように温度制御手段により管理し、発熱体からの熱を伝導によって偏波スクランブラに伝えて偏波スクランブラを一定の温度に維持する方法を採用する。
【００１８】
〔手動測定〕
マニュアル操作による偏光度測定装置は、図１に示すように、偏波スクランブラ１１の使用条件に従い、波長を設定できるとともに設定された波長が安定に出射できる波長可変光源１２と、発熱体（図示せず）を組み込んで被検物である偏波スクランブラ１１の温度を設定温度に維持させる温度維持装置１３と、この温度維持装置１３の温度を制御して偏波スクランブラ１１の温度を一定温度になるように管理する温度制御装置１４と、偏波スクランブラ１１に変調信号電圧を印加して偏光状態を変化させる偏波スクランブラ駆動装置１５と、偏波スクランブラ１１からの光偏波を受光して、その受光した光偏波の偏光度を解析する偏光度測定装置１６とを備える。
【００１９】
波長可変光源１２は、偏波スクランブラ１１の使用条件に従い出射光の波長を設定できるようにするとともに、出射光の波長が設定されるとその設定波長で安定に出射する波長安定性の良い光源とする。この波長可変光源１２は、波長の変動が出射光の波長に対して± 0.05 ｎｍ以内のものを使用する。
【００２０】
温度維持装置１３は、温度を所定温度に維持させることができる発熱体（図示せず）を組み込み、偏波スクランブラ１１の接触部と偏波スクランブラ自体を除いた部分を断熱材（図示せず）で覆うことにより断熱して、偏波スクランブラの温度を一定温度に維持する。
【００２１】
温度制御装置１４は、温度維持装置１３に取り付けた温度管理用の熱電対１４ａからの信号により、常時、温度維持装置１３の温度を監視し、設定温度で安定するまでフィードバック制御による加熱を継続して、温度維持装置１３に組み込まれた発熱体の温度を制御し、偏波スクランブラ１１の温度を設定温度に対して± 0.1℃以内になるように制御する。
【００２２】
この温度制御装置１４は、図２に示すように、熱電対１４ａからの測定電圧Ｖ1 をリニアライズするリニアライザ２１ａと、リニアライズされた電圧を測定温度Ｔ1 に変換する温度変換回路２１ｂとを備えた温度変換部２１と、設定温度Ｔ2 を入力して測定温度Ｔ1 との差Ｚ1 の変化からＰＩＤ制御方式による制御目標としての補正温度ＴＸを求める補正温度演算回路２２と、得られた補正温度ＴＸに対応する操作電圧Ｙを求めて出射する操作量演算回路２３とからなり、設定温度に対して適切な精度で温度を制御する。
【００２３】
偏波スクランブラ駆動装置１５は、ｓｉｎ波である印加電圧波形の振幅を調節することにより出射電圧を設定し、設定した電圧を偏波スクランブラ１１に印加して電圧振幅により変更のランダム状態を変化させる。
偏光度測定装置１６は、偏波スクランブラ１１からの光偏波を受光し、その受光した光偏波の偏光度を、サンプリング時間内でどの程度にランダムな偏光状態か、ストークスパラメータに基づくＤＯＰ値を求めることにより解析する。
【００２４】
この手動測定方法では、図３のフローチャートに示すように、まず波長可変光源１２の出射光の波長を設定し、温度維持装置１３に偏波スクランブラ１１を固定する（ステップ３１）。維持すべき温度を温度制御装置１４に設定し（ステップ３２）、電源がオンになり通電状態になると、温度維持装置１３に取り付けた熱電対１４ａからの信号によって温度維持装置１３が設定温度に上昇し、設定温度で安定するまで過熱しつつ温度制御する。設定した温度で安定したことを確認した（ステップ３３）後、波長可変光源１２から所定の波長のコヒーレント光を出射し（ステップ３４）、偏波スクランブラ駆動装置１５により設定すべき変調信号電圧近傍の複数の電圧に対する光偏波の偏光度を測定して電圧特性（Ｖ―ＤＯＰ曲線）を取得し、最小ＤＯＰ値を与える電圧を探索する（ステップ３５）。
続いて、得られた最小ＤＯＰ値を与える電圧を駆動電圧として偏光度測定装置１６により波長特性（λ−ＤＯＰ曲線）を得る（ステップ３６）。
【００２５】
また、偏波スクランブラの使用条件に幅があり、設定温度が２条件以上となるときは、前記設定条件とは異なる第２の設定温度を設定温度として温度制御装置１４に設定し（ステップ３７）、温度維持装置１３に取り付けた熱電対１４ａからの信号によって温度維持装置１３が設定温度に上昇し、設定温度で安定するまで加熱しつつ温度制御する。設定した温度で安定したことを確認した（ステップ３８）後、偏波スクランブラ駆動装置１５により設定すべき変調信号電圧の近傍における複数の電圧により偏波スクランブラ１１の光偏波の偏光度を測定し、その結果より偏光度が最小となる変調信号電圧を確認し（ステップ３９）、前記偏光度が最小となる変調信号の電圧と前記駆動電圧とが実質的に同電圧であると判断した場合は、偏光度測定装置１６により前記駆動電圧での波長特性（λ−ＤＯＰ曲線）を測定し、実質的に同電圧ではないと判断した場合は第２の温度で前記偏光度が最小となる変調信号の電圧を駆動電圧として波長特性を測定する（ステップ４０，４１）。
次に、所定温度範囲の各温度間隔における全ての温度について測定したかをチェックし、測定していなければステップ３７に戻って温度間隔を１間隔分変更した温度を設定して測定を再度繰返し、もし、全ての温度について測定していれば同一偏波スクランブラ１１についての手動測定を終了する（ステップ４２）。
【００２６】
このように、温度を一定にした偏波スクランブラ１１により安定した波長の入射光を変調し、出射された光偏波を偏光度測定装置１６により解析すると、誤差が小さく、安定した信頼性の高い波長特性が得られる。
【００２７】
偏波スクランブラ１１ではＤＯＰ値の低さは１つの性能指標となっているが、通常、供給先からの要求ＤＯＰ値としては 10 ％以下であることが指定される。これに対して、従来の方法によって得られるＤＯＰ値は、その最小値がせいぜい 3〜4 ％どまりであったが、この実施形態では偏波スクランブラ１１の入射光波長および温度によるＤＯＰ値の最小値の変動をそれぞれ１％以下に抑えたことにより、それらの変動が各独立に発生したとしても、変動の総量はそれらの加算されたものであるから、全偏光度変動量（＝波長による変動量＋温度による変動量）を２％以下に抑えることができる。
【００２８】
測定の際、ＤＯＰ値の変動が１％になるには、波長の変動の場合では 0.1ｎｍ温度の変動の場合では 0.1℃の変化であるから、全偏光度の変動量が±１％以下にするためには、略一定である波長変動が±0.05ｎｍ以下、温度変動が±0.05℃以下とする。これにより従来に比して大幅に精度が向上する。
【００２９】
〔自動測定〕
自動操作による偏光度測定システムは、図４に示すように、図１に示す装置構成に、さらに、波長可変光源１１、温度制御装置１４、偏波スクランブラ駆動装置１５、および偏光度測定装置１６にそれぞれ必要な指示を与えて所定の精度で種々な条件の偏光度を測定させる制御用コンピュータ１７を追加する。
【００３０】
また、温度制御装置１４には、温度設定用として、図５に示すように、設定温度Ｔ2 にする制御用コンピュータ１７からの制御信号Ｄ1 を温度Ｔ2 に対応した電圧Ｖ2 に変換する電圧変換回路５１と、得られた電圧Ｖ2 を対応する温度Ｔ2 に変換する温度変換回路５２とからなる温度設定部５０を設け、また、温度モニタ用として、図６に示すように、温度変換部２１で測定電圧Ｖ1 から測定温度Ｔ1 に変換された測定温度Ｔ1 に対応した電圧Ｖ3 を出射する電圧変換回路６１と、電圧Ｖ3 を制御用コンピュータ１７で扱える信号に変換する信号変換回路６２とからなる温度モニタ部６０を設けて、制御用コンピュータ１７により温度制御装置１４における温度設定または温度維持装置１３の温度モニタを行うことができるようにする。
【００３１】
なお、温度設定と温度モニタとをコンピュータ制御にするか手動にするかは、温度制御装置１４についている切換スイッチ（図示せず）により選択可能とし、手動にする場合には切換スイッチを操作して自動制御手順を実行しないようにする。
【００３２】
制御用コンピュータ１７による自動測定は、図７のフローチャートに示すように、偏波スクランブラ１１をセットし（ステップ７１）、光源の設定波長および変調電圧、測定温度範囲および測定温度間隔等の測定条件を入力し（ステップ７２）、設定温度として所定の温度を設定する（ステップ７３）。
【００３３】
熱電対１４ａの測定に基づき偏波スクランブラ１１の温度が設定温度で安定したかチェックし、温度が安定しなければ安定するまで待機し、安定すれば次のステップに進む（ステップ７４）。
【００３４】
温度が安定した後、設定すべき変調信号電圧の近傍で複数の変調信号電圧に対する光偏波の偏光度を測定して電圧特性（Ｖ−DOP 曲線）を取得し、最小ＤＯＰ値を与える電圧を探索し（ステップ７５）、得られた最小ＤＯＰ値を与える電圧を駆動電圧として波長特性（λ−DOP 曲線）を得る（ステップ７６）。
【００３５】
次に、測定温度範囲および測定温度間隔に従い、温度条件を（例えば、低い方から）設定し直し（ステップ７７）、温度維持装置１３の温度が安定するまで待機する（ステップ７８）。
【００３６】
温度が安定した後、設定すべき変調信号電圧の近傍で複数の変調信号電圧に対する光偏波の偏光度を測定して電圧特性（Ｖ−DOP 曲線）を取得し、最小ＤＯＰ値を与える電圧を探索する（ステップ７９）。
【００３７】
そして、前記駆動電圧と前記測定開始温度で設定した駆動電圧とが、実質的に同一であれば、前記測定開始温度で設定した駆動電圧における波長特性を測定し、実質的に同一でなければ、前記最小DOP 値を与える電圧を駆動電圧として波長特性を測定する（ステップ８０、８１）。
【００３８】
次に、所定温度範囲の各温度間隔における全ての温度について測定したかチェックし、測定していなければステップ７７に戻って温度間隔を１間隔分変更した温度を設定して測定を再度繰り返し、もし、全ての温度について測定していれば同一偏波スクランブラ１１についての自動測定を終了する（ステップ８２）。
【００３９】
このような測定手順に従って、全ての偏波スクランブラ１１，…，１１について温度維持装置１３にセットして自動測定を繰り返すことにより、用意されている偏波スクランブラ１１の全てにつき、偏光度の自動測定を精度良くかつ効率良く行うことができる。
【００４０】
〔別態様〕
このような測定装置の別態様について以下に説明する。
〔第１別態様〕  手動測定装置
図８は手動測定装置における別態様の構成を示す図である。
この手動測定装置は、偏波スクランブラ１１を載置して所定の温度に維持させるペルチェヒータ９１ａを備えて偏波スクランブラ１１の周囲を断熱材９１ｂにより被覆することができるようにした温度維持装置９１と、このペルチェヒータ９１ａの温度を設定温度に維持させる温度コントローラ９２と、偏波スクランブラ１１に発振した信号の振幅に対応した電圧を印加して偏光状態を変化させる発振器９３と、この発振器９３の出射信号を入力して駆動信号を監視するオシロスコープ９４と、偏波スクランブラ１１により変調された光偏波を受光して偏光度を解析する偏波アナライザ９５とを備え、その他は、図１の装置と同様に形成する。
【００４１】
このように構成した第１別態様においては、個々の偏波スクランブラ１１を個別に高精度で測定するのに適しており、例えば、図９に示すように、測定により得られたλ−DOP 特性曲線においては、ＤＯＰ変動が１％変動する場合に対する波長の変化が約 0.1ｎｍになるデータが得られている。また、図１０に示すように、測定により得られたＴ−DOP 特性曲線においては、ＤＯＰ変動が１％変動する場合に対する温度の変化が約 0.1℃になるデータが得られている。
【００４２】
〔第２別態様〕  自動測定装置
図１１は、２つの温度維持装置のそれぞれに２つの偏波スクランブラをセットできる自動測定装置の構成を示す図である。
この自動測定装置は、複数の温度維持装置９１，９１を設け、各温度維持装置９１，９１には２つの偏波スクランブラ１１，１１を載置できるようにする。
【００４３】
波長可変光源１２と各温度維持装置９１，９１にセットされた各偏波スクランブラ１１，…，１１との間には１−４ポートの光スイッチ９６を介装し、また、各偏波スクランブラ１１，…，１１と偏波アナライザ９５との間には４−１ポートの光スイッチ９７を介装して、光スイッチ９６，９７により各偏波スクランブラ１１，…，１１を順に切り換えて測定できるようにする。
【００４４】
各温度維持装置９１，９１にはそれぞれ温度コントローラ９２，９２を接続して各独立に温度制御するようにし、各温度コントローラ９２，９２にはそれぞれ温度モニタ用としてデジタルマルチメータ９８，９８を接続して温度管理の状態をモニタできるようにする。そして、温度コントローラ９２，９２の温度設定用にＤＣ電源を接続して電圧の設定により温度を設定できるようにする。
その他の部分については図３および図７の測定装置と同様に形成する。
【００４５】
この自動測定装置は、各温度維持装置９１，９１にそれぞれ２つの偏波スクランブラ１１，１１を載置してそれぞれ光ケーブルを接続して測定の準備をした後、制御コンピュータ１７を始動すると、制御コンピュータ１７が、まず、ＤＣ電源９９をオンにし、温度に対応する電圧値を設定して温度コントローラ９２，９２を駆動し、各温度維持装置９１，９１の温度が所定温度に昇温して一定になるまでデジタルマルチメータ９８，９８を介してモニタする。温度が一定になった後、光スイッチ９６および光スイッチ９７のスイッチ操作を指令して測定すべき偏波スクランブラ１１を１つ定め、波長可変光源１２に出射波長を設定して出射させ、発振器９３から所定振幅の信号を出射して変調させる。そして、偏波スクランブラ１１で変調された光偏波を受光した偏波アナライザ９５の解析結果を入力して偏波スクランブラ１１の良否を判定する。
【００４６】
次に、結果が出た偏波スクランブラ１１を識別して光スイッチ９６および光スイッチ９７にスイッチの切換を指示し、測定していない偏波スクランブラ１１の１つを測定可能にさせた後、光偏波の偏光度の測定を繰り返させる。
この測定を温度維持装置９１，９１にセットした４つの偏波スクランブラ１１，…，１１のすべてについて繰り返し、全ての偏波スクランブラ１１，…，１１の測定が終了してから次に測定すべき偏波スクランブラ１１，…，１１と交換して、測定を繰り返す。
【００４７】
この自動測定装置では、偏波スクランブラ１１を量産している場合に、手動測定装置と同等の精度で効率よく偏光度を測定でき、作業効率を向上させるとともに処理能率を向上させることができる。このような自動測定装置の利用によって測定者による測定のばらつきがなくなり、測定精度の安定化および信頼性の向上が実現されるとともに、手動測定装置では測定作業に時間がかかりすぎるためできなかったＤＯＰ値の長時間モニタ、広範囲の波長を細かい間隔で測定すること等の多岐にわたる実験的な測定作業が容易にできる。
【００４８】
【発明の効果】
以上のように、本発明の請求項１に係る偏波スクランブラの偏光度測定方法では、所定の温度に予め温度の設定を行い、偏波スクランブラの温度が設定温度になるように制御して、偏波スクランブラの温度が設定温度で安定していることを確認し、波長可変光源から所定の波長に対し略一定であるコヒーレント光を出射して、設定すべき変調信号電圧の近傍における複数の電圧を、偏波スクランブラに印可して光偏波の偏光度が最小となる変調信号電圧を探索し、探索した偏光度が最小となる変調信号電圧を駆動電圧として偏波スクランブラの偏光度とその波長特性を測定することにより、光源や環境温度を一定の安定した条件に維持させて、精度良く偏光度の波長特性を得ることができる。
【００４９】
また、請求項２に係る偏波スクランブラの偏光度測定方法では、請求項１記載の偏波スクランブラの偏光度測定方法にて前記駆動電圧による偏波スクランブラの偏光度とその波長特性を測定した後、前記設定温度と異なる温度を第２の設定温度として新たに設定し、その第２の設定温度になるように偏波スクランブラの温度を制御して、第２の設定温度で偏波スクランブラの温度が安定していることを確認してから、設定すべき変調信号電圧の近傍における複数の電圧につき、偏波スクランブラの駆動電圧に対する光偏波の偏光度を測定し、その結果より偏光度が最小となる変調信号電圧を求め、得られた偏光度が最小となる変調信号電圧と測定開始温度で設定された駆動電圧とが、実質的に同電圧である場合には駆動電圧での波長特性を測定し、実質的に同電圧でない場合には第２の設定温度で偏光度が最小となる変調信号電圧を駆動電圧として偏光度の波長特性を測定し、次いで、偏波スクランブラの温度を第２の設定温度と異なる温度による偏波スクランブラの偏光度の測定を継続しない場合には測定を終了し、測定を継続する場合には第２の設定温度と異なる温度を新たな第２の設定温度として置き換え、第２の設定温度の設定時まで戻り、再測定することができるため、広い範囲の偏波スクランブラの温度に対して、偏波スクランブラの駆動電圧に対する光偏波の偏光度が最小となる変調信号電圧を求め、その得られた変調信号電圧を駆動電圧として偏光度の波長特性を測定し、求められた偏光度が最小となる変調信号電圧と測定開始温度で設定した駆動電圧とを比較して、実質的に同電圧か同電圧でないかにより駆動電圧を選択して偏光度の波長特性を測定することを繰返し行うことができ、光源や環境温度の多様な条件のもとで、測定誤差が少なく、安定した信頼性の高い波長特性を、精度良く得ることができる。
偏波スクランブラへの入射光波長および広い範囲の偏波スクランブラの温度によるＤＯＰ値の最小値の変動を小さくすることができ、これらの変動が各独立に発生したとしても、これらの変動量の加算された全偏光度変動量を小さく抑えることができ（従来３〜４％止まりであったものが２％以下に抑ることができる）、従来に比して精度を大幅に向上することができる。
【図面の簡単な説明】
【図１】本発明の実施の形態における手動測定装置を示すブロック図である。
【図２】同上実施の形態における温度制御装置を示すブロック図である。
【図３】同上実施の形態における手動測定装置のＤＯＰ測定フローチャートである。
【図４】本発明の実施の形態における自動測定装置を示すブロック図である。
【図５】同上実施の形態における温度制御装置の温度設定部を示すブロック図である。
【図６】同上実施の形態における温度制御装置の温度モニタ部を示すブロック図である。
【図７】同上実施の形態における自動測定装置のＤＯＰ自動測定フローチャートである。
【図８】本発明の実施の形態の別態様における手動測定装置を示すブロック図である。
【図９】別態様の手動測定装置で得られたλ−DOP 特性曲線図である。
【図１０】別態様の手動測定装置で得られたＴ−DOP 特性曲線図である。
【図１１】本発明の実施の形態の別態様における自動測定装置を示すブロック図である。
【図１２】従来の偏波スクランブラによって測定された種々の温度におけるλ−DOP 特性曲線を示すλ−DOP 特性の説明図である。
【図１３】従来の温度一定の場合におけるλ−DOP 特性曲線図である。
【図１４】従来の波長一定の場合におけるＴ−DOP 特性曲線図である。
【図１５】従来の温度変動（１℃）のある場合におけるλ−DOP 特性曲線図である。
【符号の説明】
１１  偏波スクランブラ
１２  波長可変光源（光源）
１３  温度維持装置（温度維持手段）
１４  温度制御装置（温度制御手段）
１４ａ  熱電対
１５  偏波スクランブラ駆動装置（偏波スクランブラ駆動手段）
１６  偏光度測定装置（偏光度測定手段）
１７  制御用コンピュータ
２１  温度変換部
２１ａ  リニアライザ
２１ｂ  温度変換回路
２２  補正温度演算回路
２３  操作量演算回路
５０  温度設定部
５１  電圧変換回路
５２  温度変換回路
６０  温度モニタ部
６１  電圧変換回路
６２  信号変換回路
【図１】
0003871818.tif 000002
【図２】
0003871818.tif 000003
【図３】
0003871818.tif 000004
【図４】
0003871818.tif 000005
【図５】
0003871818.tif 000006
【図６】
0003871818.tif 000007
【図７】
0003871818.tif 000008
【図８】
0003871818.tif 000009
【図９】
0003871818.tif 000010
【図１０】
0003871818.tif 000011
【図１１】
0003871818.tif 000012
【図１２】
0003871818.tif 000013
【図１３】
0003871818.tif 000014
【図１４】
0003871818.tif 000015
【図１５】
0003871818.tif 000016